(57)【特許請求の範囲】
【請求項１】
テープローディング動作時、装着されたカセットの開口部内からテープガイド部材の移動によりテープを引き出して回転ドラムに巻き付けると共に、ピンチローラを支持するアームの回動により前記カセット開口部内から前記ピンチローラを移動させて前記テープを挟んでキャプスタンに圧着させ、且つ前記ピンチローラの移動経路と前記テープガイド部材の移動経路とが互いに干渉する関係にあるテープローディング機構を備え、
前記アームは互いに反対の第１の方向と第２の方向とに回動規制されるようになされ、前記テープローディング時、前記テープガイド部材を前記カセット開口部内からテープを引き出して回転ドラムに巻き付けるべく移動するとともに、前記アームを第１の方向へ回動させ前記ピンチローラを前記テープガイド部材の移動経路上より退避させることによって前記テープガイド部材を通過させた後、前記アームを第２の方向に回動させて前記ピンチローラを前記キャプスタンに圧着する位置へと移動させるように構成したことを特徴とする記録又は再生装置。
【請求項２】
固定シャーシと、この固定シャーシ上で往復動自在に構成されてカセットが装着される移動シャーシと、前記固定シャーシ上に設けられた回転ドラム、キャプスタン及び移動自在のテープガイド部材と、回動自在のアームに支持されたピンチローラとを具備し、
前記カセットが装着された前記移動シャーシを前記回転ドラムの方向へ往動させて、その回転ドラムの少なくとも一部を前記カセットの開口部内へ相対的に挿入させ、これに伴って、前記カセット開口部内から前記テープガイド部材の移動によりテープを引き出して前記回転ドラムに巻き付けると共に、前記アームの回動により前記カセット開口部内から前記ピンチローラを移動させて前記テープを挟んで前記キャプスタンに圧着させ、且つ前記ピンチローラの移動経路と前記テープガイド部材の移動経路とが互いに干渉する関係で構成された記録又は再生装置であって、
前記アームは前記移動シャーシ上に回動自在に配されると共に、そのアームを互いに反対の第１の方向と第２の方向とに回動規制するアーム回動規制部材を前記固定シャーシに設け、前記テープローディング時、前記移動シャーシの往動に伴って前記テープガイド部材を前記カセット開口部内からテープを引き出して回転ドラムに巻き付けるべく移動するとともに、前記アームを前記移動シャーシに対して第１の方向へ回動させ前記ピンチローラの前記固定シャーシに対する移動を相対的に略停止させて前記テープガイド部材の移動経路上より退避させることによって前記テープガイド部材を通過させた後、前記アームを前記移動シャーシに対して第２の方向に回動させて前記ピンチローラを前記キャプスタンに圧着する位置へと移動させるように構成したことを特徴とする記録又は再生装置。
【請求項３】
前記第１の方向への前記アームの回動時に、前記ピンチローラを前記カセット開口部内でカセット本体に略当接させることを特徴とする請求項１または２記載の記録又は再生装置。
【請求項４】
前記カセットの装着時に、前記アームを前記第１の方向と前記第２の方向との間における初期位置に規制することを特徴とする請求項１または２記載の記録又は再生装置。
【発明の詳細な説明】
【０００１】
【産業上の利用分野】
本発明は、例えばＶＴＲ等の記録又は再生装置に係り、特に、テープガイド部材によるテープローディングに伴うピンチローラの移動動作に関するものである。
【０００２】
【従来の技術】
従来から、ＶＴＲにおいて、カセットの装着時にテープ引出ポスト等のテープガイド部材及びピンチローラをカセットの開口部内に位置させ、上記テープガイド部材の移動によりカセット開口部内からテープを引き出して、回転ドラムの周面に巻き付けるテープローディングを行い、このローディング動作に伴って、上記ピンチローラをカセット開口部内から移動させて、そのピンチローラをテープを挟んでキャプスタンに圧着させるように構成したものがある。
【０００３】
このような構成においては、通常、ピンチローラが回動自在のアームに支持され、このアームの回動によってピンチローラの上記移動動作が行われている。
【０００４】
【発明が解決しようとする課題】
しかしながら、近年、ＶＴＲの小型化によって、限られたスペース内におけるテープパスが複雑になり、テープガイド部材の数が増加する傾向にある。
【０００５】
さらに、ＶＴＲの小型化に伴い、特にカメラ一体型ＶＴＲにおいては、回転ドラムが取付けられた固定シャーシ上に移動シャーシを往復動自在に配置し、この移動シャーシ上にカセットを装着して、テープガイド部材によるテープのローディングに伴って、移動シャーシを回転ドラムの方向へ往動させて、回転ドラムの少なくとも一部をカセット開口部内へ相対的に挿入させる手法が主流となってきている。
【０００６】
従って、このような場合には、テープローディング時に、狭いカセット開口部内に配置されたテープガイド部材及びピンチローラを、ある限られたタイミングでカセット開口部内からローディング方向へ移動させないと、テープを引き出すテープガイド部材の移動動作に対してピンチローラが支障となってしまう。
【０００７】
また、テープガイド部材の数の増加によって、これらテープガイド部材が位置するカセット開口部内でのピンチローラの配置においても、カセット装着時にピンチローラがカセット開口部内でテープ及びカセット本体と干渉しない限られた範囲に収める必要がある。
【０００８】
そこで本発明は、テープガイド部材の移動によるテープのローディング時に、ピンチローラがテープガイド部材の移動動作に対して支障とならない記録又は再生装置を提供することを目的とする。
【０００９】
【課題を解決するための手段】
上記の目的を達成するために、本発明はテープローディング動作時、装着されたカセットの開口部内からテープガイド部材の移動によりテープを引き出して回転ドラムに巻き付けると共に、ピンチローラを支持するアームの回動により前記カセット開口部内から前記ピンチローラを移動させて前記テープを挟んでキャプスタンに圧着させ、且つ前記ピンチローラの移動経路と前記テープガイド部材の移動経路とが互いに干渉する関係にあるテープローディング機構を備え、前記アームは互いに反対の第１の方向と第２の方向とに回動規制されるようになされ、前記テープローディング時、前記テープガイド部材を前記カセット開口部内からテープを引き出して回転ドラムに巻き付けるべく移動するとともに、前記アームを第１の方向へ回動させ前記ピンチローラを前記テープガイド部材の移動経路上より退避させることによって前記テープガイド部材を通過させた後、前記アームを第２の方向に回動させて前記ピンチローラを前記キャプスタンに圧着する位置へと移動させるように構成したことを特徴とする。
【００１０】
また、本発明は、固定シャーシと、この固定シャーシ上で往復動自在に構成されてカセットが装着される移動シャーシと、前記固定シャーシ上に設けられた回転ドラム、キャプスタン及び移動自在のテープガイド部材と、回動自在のアームに支持されたピンチローラとを具備し、前記カセットが装着された前記移動シャーシを前記回転ドラムの方向へ往動させて、その回転ドラムの少なくとも一部を前記カセットの開口部内へ相対的に挿入させ、これに伴って、前記カセット開口部内から前記テープガイド部材の移動によりテープを引き出して前記回転ドラムに巻き付けると共に、前記アームの回動により前記カセット開口部内から前記ピンチローラを移動させて前記テープを挟んで前記キャプスタンに圧着させ、且つ前記ピンチローラの移動経路と前記テープガイド部材の移動経路とが互いに干渉する関係で構成された記録又は再生装置であって、前記アームは前記移動シャーシ上に回動自在に配されると共に、そのアームを互いに反対の第１の方向と第２の方向とに回動規制するアーム回動規制部材を前記固定シャーシに設け、前記テープローディング時、前記移動シャーシの往動に伴って前記テープガイド部材を前記カセット開口部内からテープを引き出して回転ドラムに巻き付けるべく移動するとともに、前記アームを前記移動シャーシに対して第１の方向へ回動させ前記ピンチローラの前記固定シャーシに対する移動を相対的に略停止させて前記テープガイド部材の移動経路上より退避させることによって前記テープガイド部材を通過させた後、前記アームを前記移動シャーシに対して第２の方向に回動させて前記ピンチローラを前記キャプスタンに圧着する位置へと移動させるように構成したことを特徴とする。
【００１１】
なお、前記各々の記録又は再生装置において、前記第１の方向への前記アームの回動時に、前記ピンチローラを前記カセット開口部内でカセット本体に略当接させるとよい。
【００１２】
さらに、前記各々の記録又は再生装置において、前記カセットの装着時に、前記アームを前記第１の方向と前記第２の方向との間における初期位置に規制するとよい。
【００１３】
【作用】
上記のように構成された本発明においては、テープガイド部材によるテープローディング時に、ピンチローラを支持するアームが第１の方向としてアンローディング方向へ回動され、ピンチローラがテープガイド部材に対して退避された状態で、テープガイド部材がピンチローラよりも実質的に先行するので、カセット開口部内のスペースが狭い場合でも、ピンチローラがテープガイド部材の移動動作に対して支障となることはない。
【００１４】
また、固定シャーシ上で往復動自在の移動シャーシにカセットが装着される場合には、移動シャーシの往動に伴うテープローディング時に、ピンチローラを支持するアームが移動シャーシに対して第１の方向としてアンローディング方向へ回動され、固定シャーシに対するピンチローラの移動が相対的に略停止された状態で、テープガイド部材がピンチローラよりも実質的に先行するので、カセット開口部内への回転ドラムの相対的な挿入によりスペースがさらに狭くなる場合でも、ピンチローラがテープガイド部材の移動動作に対して支障となることはない。
【００１５】
なお、アームを第１の方向へ回動させる時に、ピンチローラをカセット開口部内でカセット本体に略当接させると、アームの回動によるピンチローラのガタが抑えられ、テープガイド部材等への接触も防止される。
【００１６】
さらに、カセットを装着する時に、アームを第１の方向と第２の方向との間における初期位置に規制すると、カセット装着時にピンチローラをカセット開口部内でテープ及びカセット本体の何れとも干渉しない最適な位置に配置することが可能となる。
【００１７】
【実施例】
以下、本発明をＶＴＲに適用した一実施例について図面を参照して説明する。図１は装置の全体構成を示す分解斜視図、図２はその平面図、図３はテープのアンローディング状態を示す平面図、図４はテープのローディング状態を示す平面図である。
【００１８】
図１及び図２において、１は固定シャーシであり、記録再生用の磁気ヘッド（図示せず）を有する回転ドラム２、キャプスタン３、テープガイド部材４ａ、４ｂ及び４ｃ等が設けられている。テープガイド部材４ａ、４ｂ及び４ｃは、カセット３０の開口部３０ａ内から磁気テープ３１を引き出すガイドポストと、これらを支持するポストベースとからなり、ガイドレール部材６ａ及び６ｂにより案内され、ローディング完了時に位置決め部材７ａ、７ｂ及び７ｃにより位置決めされる。
【００１９】
８は移動シャーシであり、装着されたカセット３０内の一対のリールと係合する一対のリール台９ａ及び９ｂ等が設けられている。移動シャーシ８は、固定シャーシ１上で矢印ａ及びａ′方向へ往復動自在に構成され、ローディング動作に伴ってカセット３０と共に回転ドラム２に近接する矢印ａ方向へ往動される。移動シャーシ８上には、ピンチローラ１０を支持するピンチローラアーム（以下、ＰＲアーム）１１が、軸１２を中心として矢印ｂ及びｂ′方向へ回動可能に軸支されている。
【００２０】
図３に示すように、固定シャーシ１に対して矢印ａ′方向へ復動されている移動シャーシ８上にカセット３０が装着される。このカセット装着により、テープガイド部材４ａ、４ｂ及び４ｃ、ピンチローラ１０がカセット３０の開口部３０ａ内に相対的に挿入される。
【００２１】
ローディングが開始されると、移動シャーシ８が矢印ａ方向へ往動されていくと共に、テープガイド部材４ａ、４ｂ及び４ｃが移動されて開口部３０ａ内からテープ３１が引き出されていく。
【００２２】
そして、図４に示すように、回転ドラム２の略半分が開口部３０ａ内へ相対的に挿入されると共に、テープガイド部材４ａ及び４ｂによりテープ３１が回転ドラム２の周面に巻き付けられ、かつテープガイド部材４ｃにより所定のテープパスが形成される。また、このローディングに伴ってＰＲアーム１１の回動によりピンチローラ１０が開口部３０ａ内から移動され、ピンチローラ１０がテープ３１を挟んでキャプスタン３に圧着される。
【００２３】
次に、上記ＰＲアーム及びその駆動機構について説明する。図５〜図７はローディング時におけるテープガイド部材とピンチローラとカセットとの位置関係を示す要部の平面図であり、図５はカセット装着時、図６はローディング開始直後、図７はローディング完了直前の状態を示す。
【００２４】
図２、図５〜図７に示すように、ＰＲアーム１１は軸１２により同軸に支持された第１アーム１３と第２アーム１４とからなり、第１アーム１３の一端にピンチローラ１０が回転自在に植立され、第２アーム１４の一端にピン１５が植設されている。第１アーム１３は、第２アーム１４に対してバネ１６により矢印ｂ方向へ回動付勢され、かつストッパ１７により回動規制されており、バネ１６の付勢力がキャプスタン３へのピンチローラ１０の圧着力となるように構成されている。なお、その圧着時以外は第１アーム１３及び第２アーム１４は一体的に動作されるので、以下は一体のＰＲアーム１１として説明する。
【００２５】
そして、ローディング動作に関連してピンチローラ１０の位置を規定するＰＲアーム回動規制部材であるＰＲアームガイド部材２０が固定シャーシ１に設けられている。ＰＲアームガイド部材２０には長手方向に沿って横方向に偏倚するカム溝２１ａ〜２１ｃが連続的に形成され、ＰＲアーム１１のピン１５が移動シャーシ８を貫通してカム溝２１ａ〜２１ｃ内にスライド自在に係合されている。なお、カム溝２１ａ〜２１ｃを固定シャーシ１に直接形成してもよい。
【００２６】
ローディング時には、固定シャーシ１に対する移動シャーシ８の往動に伴って、ＰＲアーム１１のピン１５がＰＲアームガイド部材２０のカム溝２１ａ〜２１ｃにより案内されて、ＰＲアーム１１が回動及び停止されるので、ピンチローラ１０の位置が制御される。
【００２７】
次に、上記のように構成された本実施例のＶＴＲにおけるテープローディング動作及びピンチローラの移動動作を説明する。
【００２８】
まず、カセット装着状態である図５では、移動シャーシ８が固定シャーシ１に対して矢印ａ′方向へ復動されているので、ＰＲアーム１１のピン１５はＰＲアームガイド部材２０のカム溝２１ａ内に位置している。これによって、ＰＲアーム１１は初期位置に規制されており、ピンチローラ１０はカセット３０の開口部３０ａ内においてカセット本体３０ｂとテープ３１とのほぼ中間に位置している。従って、カセット３０が移動シャーシ８上に装着される際に、ピンチローラ１０はカセット本体３０ｂ及びテープ３１の何れにも干渉することはない。
【００２９】
そして、図６に示すように、テープガイド部材４ｂ及び４ｃの移動によりローディングが開始されると、移動シャーシ８の矢印ａ方向への往動に伴って、ＰＲアーム１１のピン１５がＰＲアームガイド部材２０のカム溝２１ｂへ移動されていく。これにより、ＰＲアーム１１は第１の方向である矢印ｂ′方向へ回動され、ピンチローラ１０が開口部３０ａ内においてカセット本体３０ｂに近接する方向へ移動されて、そのカセット本体３０ｂに軽く当接される。
【００３０】
このとき、ＰＲアーム１１を支持している移動シャーシ８は、ローディング動作により固定シャーシ１に対して矢印ａ方向へ往動されているので、この移動シャーシ８に対してＰＲアーム１１が矢印ｂ′方向へ回動されることにより、ピンチローラ１０は固定シャーシ１に対して一時的に相対位置が変化しない状態となる。
【００３１】
このように、ローディング開始時、ピンチローラ１０は移動シャーシ８と共に移動を始めるが、その直後、ＰＲアーム１１が移動シャーシ８の移動方向とは反対方向へ回動されるため、固定シャーシ１に対してピンチローラ１０は減速して実質的に停止する。従って、開口部３０ａ内においてピンチローラ１０がアンローディング方向へ退避された状態で、テープガイド部材４ｂ及び４ｃがピンチローラ１０に干渉せずに先行移動される。
【００３２】
即ち、図５から図６に示すように、テープガイド部材４ｂ及び４ｃが移動される際、移動シャーシ８の矢印ａ方向への往動に伴って、テープガイド部材４ｂ及び４ｃは次第にピンチローラ１０に接近するので、ピンチローラ１０が図５の定位置にあると、テープガイド部材４ｂ及び４ｃ（特に部材４ｃ）がピンチローラ１０に干渉する虞れがある。これに対して、本実施例のようにピンチローラ１０が退避されると、テープガイド部材４ｂ及び４ｃの移動動作に対してピンチローラ１０は全く支障にならない。なお、ピンチローラ１０はＰＲアーム１１の回動による多少の遊び（ガタ）を持っているが、ローディング途中にピンチローラ１０をカセット本体３０ｂに軽く当接させることにより、そのガタを抑えることができ、テープガイド部材４ｂ及び４ｃ等への接触も防止することができる。
【００３３】
そして、テープガイド部材４ｂ及び４ｃがピンチローラ１０の横を通過すると、移動シャーシ８の矢印ａ方向への往動に伴って、ＰＲアーム１１のピン１５がカム溝２１ｂから２１ｃへ案内されることによって、図７に示すように、ＰＲアーム１１が第２の方向である矢印ｂ方向へ回動される。これにより、ピンチローラ１０はカセット本体３０ｂから離間する方向へ移動され、移動シャーシ８と共にキャプスタン３の近傍まで移動される。
【００３４】
そして、ピンチローラ１０がテープ３１を挟んでキャプスタン３に当接してから、さらにＰＲアーム１１は移動シャーシ８と共に若干往動される。これにより、第１アーム１３がバネ１６に抗して第２アーム１４に対して矢印ｂ′方向へ若干回動され、そのバネ１６によりピンチローラ１０がキャプスタン３に最適な力及び角度で圧着される。この状態で、キャプスタン３及びピンチローラ１０によってテープ３１が定速走行され、回転ドラム２に巻き付けられたテープ３１に対して磁気ヘッドにより所望の記録又は再生が行われる。
【００３５】
なお、テープ３１のアンローディング時には、上述の逆動作によって、アンローディングの完了直前にピンチローラ１０が開口部３０ａ内で退避されている間に、テープガイド部材４ｂ及び４ｃが復動され、この後、ピンチローラ１０が初期位置に復帰される。
【００３６】
以上、本発明の一実施例について説明したが、本発明は上記実施例に限定されることなく、本発明の技術的思想に基づいて各種の有効な変更並びに応用が可能である。例えば、実施例においてはカセットが装着される移動シャーシを固定シャーシ上で往復動させる構成を示したが、必ずしも移動シャーシを有する構造でなくてもよく、この場合には例えばピンチローラアームの回動手段に回動規制の機能を付加すればよい。
【００３７】
【発明の効果】
以上説明したように、本発明によれば、テープガイド部材によるテープローディング時に、ピンチローラを支持するアームを第１の方向へ回動させて、ピンチローラをテープガイド部材の移動経路上より退避させ、テープガイド部材を通過させてからピンチローラをキャプスタンへと移動するようにしたので、カセット開口部内のスペースが狭い場合でも、テープガイド部材の移動動作に対してピンチローラが支障とならず、装置の小型化を促進することができる。また、ローディング時にカセット開口部内でピンチローラを退避させるので、カセット装着時には、ピンチローラを開口部内でテープ及びカセット本体の何れとも干渉しない最適な位置に配置することが可能となる。
【００３８】
また、固定シャーシ上で往復動自在の移動シャーシにカセットが装着される場合には、カセット開口部内への回転ドラムの相対的な挿入によりスペースがさらに狭くなっても、上記ピンチローラの支障を回避することができる。しかも、アーム回動規制部材を固定シャーシに設けることにより、極めて簡単な構造で、移動シャーシの往動に伴ってアームを回動規制することができる。
【図面の簡単な説明】
【図１】本発明をＶＴＲに適用した一実施例における装置の全体構成を示す分解斜視図である。
【図２】上記装置の全体構成を示す平面図である。
【図３】上記装置におけるテープのアンローディング状態を示す平面図である。
【図４】上記装置におけるテープのローディング状態を示す平面図である。
【図５】上記装置におけるカセット装着時の状態を示す要部の平面図である。
【図６】上記装置におけるローディング開始直後の状態を示す要部の平面図である。
【図７】上記装置におけるローディング完了直前の状態を示す要部の平面図である。
【符号の説明】
１  固定シャーシ
２  回転ドラム
３  キャプスタン
４ａ、４ｂ、４ｃ  テープガイド部材
６ａ、６ｂ  ガイドレール部材
７ａ、７ｂ、７ｃ  位置決め部
８  移動シャーシ
９ａ、９ｂ  リール台
１０  ピンチローラ
１１  ピンチローラアーム
１２  軸
１３  第１アーム
１４  第２アーム
１５  ピン
１６  バネ
１７  ストッパ
２０  ピンチローラアームガイド部材
２１ａ、２１ｂ、２１ｃ  カム溝
３０  カセット
３０ａ  開口部
３０ｂ  カセット本体
３１  テープ
【図１】
0003584073.tif 000002
【図２】
0003584073.tif 000003
【図３】
0003584073.tif 000004
【図４】
0003584073.tif 000005
【図５】
0003584073.tif 000006
【図６】
0003584073.tif 000007
【図７】
0003584073.tif 000008